(57)【要約】【課題】動画表示の際に生じる動画ぼけを改善しつつ、フリッカの発生を軽減することが可能な映像表示装置を提供する。【解決手段】ＬＣＤコントローラ１５は、動きの速い動画の映像フレームに対して、各映像フレーム期間に黒信号レベルが高い黒フレームを挿入してパネル駆動回路１８へ出力し、常にＨレベルのバックライト制御信号をバックライト制御回路１６へ出力する。ＬＣＤコントローラ１５は、通常の動画の映像フレームに対して、各映像フレーム期間に黒信号レベルが中程度の黒フレームを挿入してパネル駆動回路１８へ出力し、各映像フレーム期間の半分の期間がＨレベルのバックライト制御信号をバックライト制御回路１６へ出力する。ＬＣＤコントローラ１５は、ほぼ静止画の映像フレームをそのままパネル駆動回路１８へ出力し、各映像フレーム期間の１／５の期間がＨレベルのバックライト制御信号をバックライト制御回路１６へ出力する。【選択図】図１
2008096521.tif 000002
【特許請求の範囲】
【請求項１】
複数の映像フレームからなる映像信号の各映像フレーム期間内に黒信号を挿入する黒挿入手段と、該黒挿入手段が黒信号を挿入した映像信号を表示する表示手段とを備える映像表示装置において、
時系列的に前後の映像フレーム間の差分量を算出する差分算出手段と、
該差分算出手段が算出した差分量に応じて、前記黒挿入手段が挿入する黒信号の黒信号レベルを特定する特定手段とを備え、
前記黒挿入手段は、前記特定手段が特定した黒信号レベルの黒信号を挿入するように構成してあることを特徴とする映像表示装置。
【請求項２】
前記特定手段は、前記差分算出手段が算出した差分量の大／小に応じて、前記黒挿入手段が挿入する黒信号の黒信号レベルを高／低に特定するように構成してあることを特徴とする請求項１に記載の映像表示装置。
【請求項３】
液晶表示パネルと、
該液晶表示パネルの背面に配置されたバックライトと、
前記特定手段が特定した黒信号レベルの高／低に応じて、前記バックライトの輝度を高／低に制御する駆動手段と
を備えることを特徴とする請求項１又は２に記載の映像表示装置。
【請求項４】
複数の映像フレームからなる映像信号の各映像フレーム期間内に黒信号を挿入する黒挿入手段と、該黒挿入手段が黒信号を挿入した映像信号を表示する表示手段とを備える映像表示装置において、
時系列的に前後の映像フレーム間の差分量を算出する差分算出手段と、
該差分算出手段が算出した差分量に応じて、各映像フレーム期間に対して前記黒挿入手段が挿入する黒信号の挿入期間を特定する特定手段とを備え、
前記黒挿入手段は、前記特定手段が特定した挿入期間の黒信号を挿入するように構成してあることを特徴とする映像表示装置。
【請求項５】
前記特定手段は、前記差分算出手段が算出した差分量の大／小に応じて、前記黒挿入手段が挿入する黒信号の挿入期間を長／短に特定するように構成してあることを特徴とする請求項４に記載の映像表示装置。
【請求項６】
液晶表示パネルと、
該液晶表示パネルの背面に配置されたバックライトと、
前記特定手段が特定した挿入期間の長／短に応じて、前記バックライトの輝度を高／低に制御する駆動手段と
を備えることを特徴とする請求項４又は５に記載の映像表示装置。
【請求項７】
複数の映像フレームからなる映像信号の各映像フレーム期間内に黒信号を挿入する黒挿入手段と、該黒挿入手段が黒信号を挿入した映像信号を表示する表示手段とを備える映像表示装置において、
前記黒挿入手段は、複数の黒画素を含む黒信号フレームを各映像フレーム期間内に挿入するように構成してあり、
時系列的に前後の映像フレーム間の差分量を算出する差分算出手段と、
該差分算出手段が算出した差分量に応じて、前記黒挿入手段が挿入する黒信号フレームに含まれる黒画素の画素数を特定する特定手段とを備え、
前記黒挿入手段は、前記特定手段が特定した画素数の黒画素を含む黒信号フレームを挿入するように構成してあることを特徴とする映像表示装置。
【請求項８】
前記特定手段は、前記差分算出手段が算出した差分量の大／小に応じて、前記黒挿入手段が挿入する黒信号フレームに含まれる黒画素の画素数を多／少に特定するように構成してあることを特徴とする請求項７に記載の映像表示装置。
【請求項９】
液晶表示パネルと、
該液晶表示パネルの背面に配置されたバックライトと、
前記特定手段が特定した画素数の多／少に応じて、前記バックライトの輝度を高／低に制御する駆動手段と
を備えることを特徴とする請求項７又は８に記載の映像表示装置。
【発明の詳細な説明】
【技術分野】
【０００１】
本発明は、映像信号の各映像フレーム期間内に、各映像フレームに応じた黒信号を挿入することにより、動画表示の際に生じる動画ぼけを改善しつつ、フリッカの発生を軽減することが可能な映像表示装置に関する。
【背景技術】
【０００２】
近年、高精細表示、低消費電力、軽量化、省スペース等の実現が可能な液晶ディスプレイ（ＬＣＤ）が普及している。液晶ディスプレイは、映像表示装置として従来から用いられているＣＲＴ（陰極線管）ディスプレイに対して、動きのある映像を表示した場合、人間の視覚では動き部分の輪郭がぼけて知覚されてしまい、所謂「動画ボケ」が発生し易い。これは、ＣＲＴディスプレイが、電子ビームが管面の蛍光体に当たった時点から数ミリ秒の間だけ光を発し、これにより映像が瞬間的に表示されるインパルス型の表示装置であるのに対し、液晶ディスプレイが、画素へのデータの書き込みが終わった時点から次の書き込みが開始されるまでの１フレーム期間、表示光を保持するホールド型の表示装置であるからである。
【０００３】
そこで、特許文献１及び特許文献２では、映像信号の１映像フレーム期間内において、映像信号と黒信号とを液晶表示パネルに書き込むことにより、時系列的に前後する映像フレーム間に黒画像を挿入し、擬似的なインパルス型の表示制御を行なう表示装置が開示されている。これにより、ホールド型の液晶ディスプレイの表示精度を、インパルス型のＣＲＴディスプレイの表示精度に近付けることができ、液晶ディスプレイにおいて、動画を表示させる際に生じる動画ボケを軽減することができ、表示された画像の画質の劣化を改善することができる。
【特許文献１】特開２００４−２３３９３２号公報
【特許文献２】特開２００３−１８６４５４号公報
【発明の開示】
【発明が解決しようとする課題】
【０００４】
特許文献１及び特許文献２で開示されたような液晶ディスプレイにおいては、それぞれの映像フレーム期間に挿入される黒信号の黒信号レベルが固定値である場合が多く、黒信号レベルの高い黒信号を挿入した場合、表示された映像にフリッカが発生して画質の劣化を招き、黒信号レベルの低い黒信号を挿入した場合、動画ボケを良好に改善することが困難となるという問題を有している。また、固定値の黒信号レベルの黒信号を挿入する液晶ディスプレイにおいては、表示された映像における見た目の輝度が低下し、視聴者に不快感を与える虞があるという問題を有している。
【０００５】
本発明は斯かる事情に鑑みてなされたものであり、その目的とするところは、映像信号に基づく映像における表示対象の動きに応じた黒信号を挿入することにより、フリッカの発生を軽減して画質の劣化を防止しつつ動画ボケを良好に改善することが可能な映像表示装置を提供することにある。
【０００６】
また、本発明の他の目的は、映像信号に基づく映像における表示対象の動きが速い場合、黒信号レベルが高い黒信号（挿入期間が長い黒信号、又は黒画素の画素数が多い黒信号）を挿入し、映像信号に基づく映像における表示対象の動きが遅い場合、黒信号レベルが低い黒信号（挿入期間が短い黒信号、又は黒画素の画素数が少ない黒信号）を挿入することにより、動画ボケを良好に改善しつつフリッカの発生を軽減することが可能な映像表示装置を提供することにある。
【０００７】
更に、本発明の他の目的は、動画ボケ及びフリッカの発生を良好に改善しつつ、表示映像における見た目の輝度の変化を低減させた良好な映像を表示させることが可能な映像表示装置を提供することにある。
【課題を解決するための手段】
【０００８】
本発明に係る映像表示装置は、複数の映像フレームからなる映像信号の各映像フレーム期間内に黒信号を挿入する黒挿入手段と、該黒挿入手段が黒信号を挿入した映像信号を表示する表示手段とを備える映像表示装置において、時系列的に前後の映像フレーム間の差分量を算出する差分算出手段と、該差分算出手段が算出した差分量に応じて、前記黒挿入手段が挿入する黒信号の黒信号レベルを特定する特定手段とを備え、前記黒挿入手段は、前記特定手段が特定した黒信号レベルの黒信号を挿入するように構成してあることを特徴とする。
【０００９】
本発明によれば、複数の映像フレームからなる映像信号の各映像フレーム期間内に黒信号を挿入し、黒信号が挿入された映像信号を表示する映像表示装置が、時系列的に前後の映像フレーム間の差分量を算出し、算出した差分量に応じて、挿入すべき黒信号の黒信号レベルを特定する。よって、各映像信号において、時系列的に前後する映像フレーム間の差分量に応じた黒信号レベルの黒信号の挿入が可能となる。
【００１０】
本発明に係る映像表示装置は、前記特定手段は、前記差分算出手段が算出した差分量の大／小に応じて、前記黒挿入手段が挿入する黒信号の黒信号レベルを高／低に特定するように構成してあることを特徴とする。
【００１１】
本発明によれば、映像表示装置が、各映像信号において時系列的に前後する映像フレーム間の差分量が大きい場合、黒信号レベルが高い黒信号を対応する映像フレーム期間内に挿入する。また、映像表示装置が、各映像信号において時系列的に前後する映像フレーム間の差分量が小さい場合、黒信号レベルが低い黒信号を対応する映像フレーム期間内に挿入する。
【００１２】
本発明に係る映像表示装置は、液晶表示パネルと、該液晶表示パネルの背面に配置されたバックライトと、前記特定手段が特定した黒信号レベルの高／低に応じて、前記バックライトの輝度を高／低に制御する駆動手段とを備えることを特徴とする。
【００１３】
本発明によれば、映像表示装置が、各映像信号において時系列的に前後する映像フレーム間の差分量に応じて特定した黒信号の黒信号レベルが高い場合、液晶表示パネルの背面に配置されたバックライトの輝度を高く制御し、前記黒信号の黒信号レベルが低い場合、バックライトの輝度を低く制御する。
【００１４】
本発明に係る映像表示装置は、複数の映像フレームからなる映像信号の各映像フレーム期間内に黒信号を挿入する黒挿入手段と、該黒挿入手段が黒信号を挿入した映像信号を表示する表示手段とを備える映像表示装置において、時系列的に前後の映像フレーム間の差分量を算出する差分算出手段と、該差分算出手段が算出した差分量に応じて、各映像フレーム期間に対して前記黒挿入手段が挿入する黒信号の挿入期間を特定する特定手段とを備え、前記黒挿入手段は、前記特定手段が特定した挿入期間の黒信号を挿入するように構成してあることを特徴とする。
【００１５】
本発明によれば、複数の映像フレームからなる映像信号の各映像フレーム期間内に黒信号を挿入し、黒信号が挿入された映像信号を表示する映像表示装置が、時系列的に前後の映像フレーム間の差分量を算出し、算出した差分量に応じて、挿入すべき黒信号の各映像フレーム期間に対する挿入期間を特定する。よって、各映像信号において、時系列的に前後する映像フレーム間の差分量に応じた挿入期間の黒信号の挿入が可能となる。
【００１６】
本発明に係る映像表示装置は、前記特定手段は、前記差分算出手段が算出した差分量の大／小に応じて、前記黒挿入手段が挿入する黒信号の挿入期間を長／短に特定するように構成してあることを特徴とする。
【００１７】
本発明によれば、映像表示装置が、各映像信号において時系列的に前後する映像フレーム間の差分量が大きい場合、対応する映像フレーム期間内に長い挿入期間の黒信号を挿入する。また、映像表示装置が、各映像信号において時系列的に前後する映像フレーム間の差分量が小さい場合、対応する映像フレーム期間内に短い挿入期間の黒信号を挿入する。
【００１８】
本発明に係る映像表示装置は、液晶表示パネルと、該液晶表示パネルの背面に配置されたバックライトと、前記特定手段が特定した挿入期間の長／短に応じて、前記バックライトの輝度を高／低に制御する駆動手段とを備えることを特徴とする。
【００１９】
本発明によれば、映像表示装置が、各映像信号において時系列的に前後する映像フレーム間の差分量に応じて特定した黒信号の挿入期間が長い場合、液晶表示パネルの背面に配置されたバックライトの輝度を高く制御し、前記黒信号の挿入期間が短い場合、バックライトの輝度を低く制御する。
【００２０】
本発明に係る映像表示装置は、複数の映像フレームからなる映像信号の各映像フレーム期間内に黒信号を挿入する黒挿入手段と、該黒挿入手段が黒信号を挿入した映像信号を表示する表示手段とを備える映像表示装置において、前記黒挿入手段は、複数の黒画素を含む黒信号フレームを各映像フレーム期間内に挿入するように構成してあり、時系列的に前後の映像フレーム間の差分量を算出する差分算出手段と、該差分算出手段が算出した差分量に応じて、前記黒挿入手段が挿入する黒信号フレームに含まれる黒画素の画素数を特定する特定手段とを備え、前記黒挿入手段は、前記特定手段が特定した画素数の黒画素を含む黒信号フレームを挿入するように構成してあることを特徴とする。
【００２１】
本発明によれば、複数の映像フレームからなる映像信号の各映像フレーム期間内に、複数の黒画素を含む黒信号フレームを挿入し、黒信号フレームが挿入された映像信号を表示する映像表示装置が、時系列的に前後の映像フレーム間の差分量を算出し、算出した差分量に応じて、挿入すべき黒信号フレームに含まれる黒画素の画素数を特定する。よって、各映像信号において、時系列的に前後する映像フレーム間の差分量に応じた画素数の黒画素を含む黒信号フレームの挿入が可能となる。
【００２２】
本発明に係る映像表示装置は、前記特定手段は、前記差分算出手段が算出した差分量の大／小に応じて、前記黒挿入手段が挿入する黒信号フレームに含まれる黒画素の画素数を多／少に特定するように構成してあることを特徴とする。
【００２３】
本発明によれば、映像表示装置が、各映像信号において時系列的に前後する映像フレーム間の差分量が大きい場合、黒画素の画素数が多い黒信号フレームを対応する映像フレーム期間内に挿入する。また、映像表示装置が、各映像信号において時系列的に前後する映像フレーム間の差分量が小さい場合、黒画素の画素数が少ない黒信号フレームを対応する映像フレーム期間内に挿入する。
【００２４】
本発明に係る映像表示装置は、液晶表示パネルと、該液晶表示パネルの背面に配置されたバックライトと、前記特定手段が特定した画素数の多／少に応じて、前記バックライトの輝度を高／低に制御する駆動手段とを備えることを特徴とする。
【００２５】
本発明によれば、映像表示装置が、各映像信号において時系列的に前後する映像フレーム間の差分量に応じて特定した黒画素の画素数が多い場合、液晶表示パネルの背面に配置されたバックライトの輝度を高く制御し、前記黒画素の画素数が少ない場合、バックライトの輝度を低く制御する。
【発明の効果】
【００２６】
本発明では、映像表示装置が、各映像信号において時系列的に前後する映像フレーム間の差分量に応じた黒信号レベルの黒信号を、対応する映像フレーム期間内に挿入する。よって、映像信号に基づく映像における表示対象の動きに応じた黒信号レベルの黒信号を挿入することができ、これにより、擬似的なインパルス型の表示制御が可能となり、画質の劣化を防止しつつ動画ボケを良好に改善することができる。
【００２７】
本発明では、映像表示装置が、各映像信号において時系列的に前後する映像フレーム間の差分量が大きい場合、即ち、映像信号に基づく映像における表示対象の動きが速い場合、黒信号レベルが高い黒信号を対応する映像フレーム期間内に挿入することにより、動画ボケを良好に改善し、動画特性の優れた映像を表示させることができる。また、映像表示装置が、各映像信号において時系列的に前後する映像フレーム間の差分量が小さい場合、即ち、映像信号に基づく映像における表示対象の動きが遅い場合、黒信号レベルが低い黒信号を対応する映像フレーム期間内に挿入することにより、フリッカの発生を軽減して画質の劣化を防止することができる。
【００２８】
本発明では、映像表示装置が、各映像フレーム期間内に対して黒信号レベルが高い黒信号を挿入する場合、バックライトの輝度を高く制御し、各映像フレーム期間内に対して黒信号レベルが低い黒信号を挿入する場合、バックライトの輝度を低く制御することにより、挿入される黒信号の黒信号レベルの変化によって生じる可能性のある表示映像における見た目の輝度の変化を低減することができる。これにより、動画ボケ及びフリッカの発生を良好に改善しつつ、表示映像における輝度の変化に基づき視聴者に与え得る違和感を低減させた良好な映像を表示させることができる。
【００２９】
本発明では、映像表示装置が、各映像信号において時系列的に前後する映像フレーム間の差分量に応じた挿入期間の黒信号を、対応する映像フレーム期間内に挿入する。よって、映像信号に基づく映像における表示対象の動きに応じた挿入期間の黒信号を挿入することができ、これにより、擬似的なインパルス型の表示制御が可能となり、画質の劣化を防止しつつ動画ボケを良好に改善することができる。
【００３０】
本発明では、映像表示装置が、各映像信号において時系列的に前後する映像フレーム間の差分量が大きい場合、即ち、映像信号に基づく映像における表示対象の動きが速い場合、対応する映像フレーム期間内に長い挿入期間の黒信号を挿入することにより、動画ボケを良好に改善し、動画特性の優れた映像を表示させることができる。また、映像表示装置が、各映像信号において時系列的に前後する映像フレーム間の差分量が小さい場合、即ち、映像信号に基づく映像における表示対象の動きが遅い場合、対応する映像フレーム期間内に短い挿入期間の黒信号を挿入することにより、フリッカの発生を軽減して画質の劣化を防止することができる。
【００３１】
本発明では、映像表示装置が、各映像フレーム期間内に対して挿入期間が長い黒信号を挿入する場合、バックライトの輝度を高く制御し、各映像フレーム期間内に対して挿入期間が短い黒信号を挿入する場合、バックライトの輝度を低く制御することにより、挿入される黒信号の挿入期間の変化によって生じる可能性のある表示映像における見た目の輝度の変化を低減することができる。これにより、動画ボケ及びフリッカの発生を良好に改善しつつ、表示映像における輝度の変化に基づき視聴者に与え得る違和感を低減させた良好な映像を表示させることができる。
【００３２】
本発明では、映像表示装置が、各映像信号において時系列的に前後する映像フレーム間の差分量に応じた画素数の黒画素を含む黒信号フレームを、対応する映像フレーム期間内に挿入する。よって、映像信号に基づく映像における表示対象の動きに応じた画素数の黒画素を含む黒信号フレームを挿入することができ、これにより、擬似的なインパルス型の表示制御が可能となり、画質の劣化を防止しつつ動画ボケを良好に改善することができる。
【００３３】
本発明では、映像表示装置が、各映像信号において時系列的に前後する映像フレーム間の差分量が大きい場合、即ち、映像信号に基づく映像における表示対象の動きが速い場合、黒画素の画素数が多い黒信号フレームを対応する映像フレーム期間内に挿入することにより、動画ボケを良好に改善し、動画特性の優れた映像を表示させることができる。また、映像表示装置が、各映像信号において時系列的に前後する映像フレーム間の差分量が小さい場合、即ち、映像信号に基づく映像における表示対象の動きが遅い場合、黒画素の画素数が少ない黒信号フレームを対応する映像フレーム期間内に挿入することにより、フリッカの発生を軽減して画質の劣化を防止することができる。
【００３４】
本発明では、映像表示装置が、各映像フレーム期間内に対して黒画素の画素数が多い黒信号フレームを挿入する場合、バックライトの輝度を高く制御し、各映像フレーム期間内に対して黒画素の画素数が少ない黒信号フレームを挿入する場合、バックライトの輝度を低く制御することにより、挿入される黒信号フレームに含まれる黒画素の画素数の変化によって生じる可能性のある表示映像における見た目の輝度の変化を低減することができる。これにより、動画ボケ及びフリッカの発生を良好に改善しつつ、表示映像における輝度の変化に基づき視聴者に与え得る違和感を低減させた良好な映像を表示させることができる。
【発明を実施するための最良の形態】
【００３５】
以下に、本発明に係る映像表示装置を、その実施の形態である液晶テレビを示す図面に基づいて詳述する。
【００３６】
（実施形態１）
図１は本発明に係る映像表示装置としての実施形態１の液晶テレビの要部構成例を示すブロック図である。本実施形態１の液晶テレビ１は、例えばＵＨＦテレビジョン放送信号及びＶＨＦテレビジョン放送信号等のアナログの映像信号を受信するためのアナログチューナ（図示せず）、例えば地上波デジタル放送信号又はＢＳデジタル放送信号等のデジタルの映像信号を受信するためのデジタルチューナ（図示せず）、デジタルカメラ及び録画装置等の映像処理装置（図示せず）等との接続が可能に構成されており、アナログチューナ、デジタルチューナ及び映像処理装置のいずれかから入力された映像信号に基づく映像の表示を行なう。
【００３７】
本実施形態１の液晶テレビ１は、映像信号処理回路１２、ＬＣＤコントローラ１５、バックライト制御回路１６、バックライト１７、パネル駆動回路１８、液晶表示パネル１９等を備えている。また、液晶テレビ１は、ＲＯＭ及びＲＡＭが内蔵されたＣＰＵ（Central Processing Unit ）又はＭＰＵ（Micro Processor Unit）等で構成された制御部１０を備えている。
【００３８】
制御部１０は、上述したようなハードウェア各部の動作を制御すると共に、自身に内蔵されたＲＯＭに予め格納されている制御プログラムを適宜ＲＡＭに読み出して実行する。ＲＯＭには、液晶テレビ１を本発明に係る映像表示装置として動作させるために必要な種々の制御プログラムが予め格納されている。ＲＡＭはＳＲＡＭ又はＳＤＲＡＭ等で構成されており、制御部１０による制御プログラムの実行時に発生するデータを一時的に記憶する。
【００３９】
映像信号処理回路１２は、上述したように外部のアナログチューナ、デジタルチューナ又は映像処理装置のいずれかから入力された映像信号に対して、例えば、輝度信号及び色差信号に分離するＹＣ分離処理、カラーマトリクスを用いた色変換処理、インタレース方式の映像信号をプログレッシブ方式の映像信号に変換するＩＰ変換処理、アナログ信号をデジタル信号に変換するＡ／Ｄ変換処理等の信号処理を必要に応じて実行する。なお、制御部１０及び映像信号処理回路１２にはフレームメモリ１１が接続されており、制御部１０は、映像信号処理回路１２によって各種の信号処理が実行される際の映像信号をフレーム単位でフレームメモリ１１に適宜記憶させる。
【００４０】
また、映像信号処理回路１２は、上述したような各種の信号処理を行ない、フレームメモリ１１に記憶させた映像信号に対して、２倍のフレームレートで各映像フレームを２回繰り返して読み出すことによってフレームレートの変換処理を実行し、更に、スケーリング回路（図示せず）により液晶表示パネル１９の画素数に応じたスケーリング処理を行なった後、動き検出回路１３及びＬＣＤコントローラ１５へ映像信号を出力する。なお、映像信号処理回路１２から出力される映像信号は、例えば１秒当たり３０枚の映像フレームで構成されている。
【００４１】
図２は実施形態１の液晶テレビ１における映像信号を説明するための波形図である。図２の入力同期信号がＨレベルからＬレベルに変化するタイミングで入力映像信号が液晶テレビ１の映像信号処理回路１２へ入力され、映像信号処理回路１２は、上述したような各信号処理を行なった後、図２の出力同期信号がＨレベルからＬレベルに変化するタイミングで出力映像信号を動き検出回路１３及びＬＣＤコントローラ１５へ出力する。なお、図２（ａ）〜（ｃ）については後述する。
【００４２】
ＬＣＤコントローラ１５には、液晶表示パネル１９を駆動させるパネル駆動回路１８と、液晶表示パネル１９の背面に配置されたバックライト１７の点灯及び消灯を制御するバックライト制御回路（駆動手段）１６とが接続されている。液晶表示パネル１９は、例えば、複数の液晶素子を２次元マトリクス状に配列して構成されている。バックライト１７は、例えば、冷陰極蛍光管（ＣＣＦＬ：Cold Cathode Fluorescent Lamp）を利用して構成されている。ＬＣＤコントローラ１５は、制御部１０からの制御に従って、映像信号処理回路１２から取得した映像信号に基づいてバックライト制御回路１６及びパネル駆動回路１８を駆動させ、映像信号に基づく映像を液晶表示パネル１９に表示させる。
【００４３】
本実施形態１の液晶テレビ１は、動き検出回路１３及び黒信号発生回路１４を更に備えている。動き検出回路１３は、減算器（図示せず）を有しており、映像信号処理回路１２から順次入力される映像信号に対して、時系列的に前後する映像フレーム間の差分量を減算器によって算出する差分算出手段として動作する。具体的には、動き検出回路１３は、時系列的に前後する２つの映像フレームにおいて、それぞれ対応する各画素の画素値の差分値を算出する。ここで、本実施形態では、映像フレームの各画素は、例えば８ビットのデータであり、映像フレーム中の各画素の差分値も０〜２５５の各値をとるものとする。
【００４４】
動き検出回路１３は、２つの映像フレーム間において算出した各画素の差分値を、例えば制御部１０のＲＯＭに予め記憶してある閾値に基づいて２値化処理を実行する。更に、動き検出回路１３は、２値化した各画素の差分値の合計値を算出し、算出した合計値を映像フレーム間の差分量とする。更に、動き検出回路１３は、上述したように算出した２つの映像フレーム間の差分量を、例えば制御部１０のＲＯＭに予め記憶してある第１閾値と比較し、差分量が第１閾値よりも大きい場合、対応する映像フレームに基づく映像が動きの速い動画であると判断する。
【００４５】
また、動き検出回路１３は、差分量が第１閾値よりも小さい場合、差分量を、第１閾値よりも小さい値の第２閾値と比較し、差分量が第２閾値よりも大きい場合、対応する映像フレームに基づく映像が通常の動画であると判断し、差分量が第２閾値よりも小さい場合、対応する映像フレームに基づく映像がほぼ静止画であると判断する。動き検出回路１３は、このように判断した結果を黒信号発生回路１４へ通知する。
【００４６】
黒信号発生回路１４は、動き検出回路１３から通知された判断結果に応じて、対応する映像フレーム期間内に挿入すべき黒信号の黒信号レベルを特定する特定手段として動作し、特定した黒信号レベルの黒信号からなる黒フレーム（黒信号フレーム）を発生させてＬＣＤコントローラ１５へ出力する。具体的には、黒信号発生回路１４は、動き検出回路１３から、対応する映像フレームに基づく映像が動きの速い動画であると通知された場合、黒信号レベルの高い黒信号からなる黒フレームを発生させてＬＣＤコントローラ１５へ出力する。また、黒信号発生回路１４は、対応する映像フレームに基づく映像が通常の動画であると通知された場合、黒信号レベルが中程度の黒信号からなる黒フレームを発生させてＬＣＤコントローラ１５へ出力する。なお、本実施形態では、黒信号発生回路１４は、動き検出回路１３から、対応する映像フレームに基づく映像がほぼ静止画であると通知された場合、黒フレームを発生させず、対応する映像フレーム期間内には黒信号を挿入しない。
【００４７】
ＬＣＤコントローラ１５は、制御部１０からの指示に従って、映像信号処理回路１２から出力された映像信号に対して、更に３倍のフレームレートへの変換処理を行なうと共に、黒信号発生回路１４から出力された黒フレームを、対応する各映像フレーム期間内に挿入する黒挿入手段として動作し、図２（ａ）〜（ｃ）で示すような出力信号をパネル駆動回路１８へ出力すると共に、図２（ａ）〜（ｃ）で示すようなバックライト制御信号をバックライト制御回路１６へ出力する。
【００４８】
図２（ａ）は、動きの速い動画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。また、図２（ｂ）は、通常の動画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。図２（ｃ）は、ほぼ静止画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。
【００４９】
動きの速い動画の映像フレームに対して、ＬＣＤコントローラ１５は、黒信号レベルが高い黒信号からなる黒フレーム、具体的には、例えば各画素値が２５５の画素からなる黒フレームを黒信号発生回路１４から取得し、取得した黒フレームを、図２（ａ）に示すように、映像信号処理回路１２から出力された映像フレームに対して各映像フレーム期間の１／３の期間に挿入する。図２（ａ）においては、映像信号処理回路１２から出力された映像フレームＡの映像フレーム期間に対して、後半の１／３の期間に黒フレームが挿入された映像信号が示されており、ＬＣＤコントローラ１５は、このように黒フレームを挿入した映像信号をパネル駆動回路１８へ出力する。また、ＬＣＤコントローラ１５は、動きの速い動画の映像フレームを液晶表示パネル１９に表示させる場合、常にＨレベルのバックライト制御信号をバックライト制御回路１６へ出力することにより、バックライト１７の輝度を常にＨレベルに制御する。
【００５０】
また、図２（ｂ）に示すように、通常の動画の映像フレームに対しても、ＬＣＤコントローラ１５は、映像信号処理回路１２から出力された映像フレームＡの映像フレーム期間に対して、後半の１／３の期間に黒フレームを挿入する。なお、通常の動画の映像フレームに対して、ＬＣＤコントローラ１５は、黒信号レベルが中程度の黒信号からなる黒フレーム、具体的には、例えば各画素値が１２８の画素からなる黒フレームを黒信号発生回路１４から取得し、取得した黒フレームを、映像信号処理回路１２から出力された映像フレームに対して挿入し、このように黒フレームを挿入した映像信号をパネル駆動回路１８へ出力する。また、ＬＣＤコントローラ１５は、通常の動画の映像フレームを液晶表示パネル１９に表示させる場合、図２（ｂ）に示すバックライト制御信号をバックライト制御回路１６へ出力することにより、各映像フレーム期間において例えば半分の期間、バックライト１７の輝度がＨレベルになるように制御する。
【００５１】
更に、図２（ｃ）に示すように、ほぼ静止画の映像フレームに対して、ＬＣＤコントローラ１５は、映像信号処理回路１２から出力された映像フレームに対して３倍のフレームレートへの変換処理を行なった後、黒フレームを挿入せずにパネル駆動回路１８へ出力する。また、ＬＣＤコントローラ１５は、ほぼ静止画の映像フレームを液晶表示パネル１９に表示させる場合、図２（ｃ）に示すバックライト制御信号をバックライト制御回路１６へ出力することにより、各映像フレーム期間において例えば１／５の期間、バックライト１７の輝度がＨレベルになるように制御する。なお、バックライト１７の輝度の制御は、ＰＷＭ（Pulse Width Modulation）のデューティ制御によって行ない、バックライト制御信号のＨレベルの期間が短い程、バックライト１７の輝度が暗くなり、バックライト制御信号が常にＨレベルである場合、バックライト１７の輝度が最高に制御される。
【００５２】
上述したようにＬＣＤコントローラ１５から出力信号を取得したパネル駆動回路１８は、取得した出力信号に従って液晶表示パネル（表示手段）１９に映像を書き込み、ＬＣＤコントローラ１５からバックライト制御信号を取得したバックライト制御回路１６は、取得したバックライト制御信号に従ってバックライト１７を点灯及び消灯させる。
【００５３】
上述したように、映像信号に基づく映像が動きの速い動画である場合、黒信号レベルが高い黒信号からなる黒フレームを対応する各映像フレーム期間内に挿入しつつ、バックライト１７の輝度を常にＨレベルに制御することにより、擬似的にインパルス型の表示制御を行なうことができ、動画ボケを良好に改善し、動画特性の優れた映像を表示させることができると共に、黒フレームの挿入に伴って生じる表示映像における輝度の変化に基づき視聴者に与え得る違和感を低減させることができる。また、映像信号に基づく映像がほぼ静止画である場合、黒フレームを挿入しないことにより、表示映像においてフリッカの発生を防止することができる。なお、映像信号に基づく映像が通常の動画である場合には、黒信号レベルが中程度の黒信号からなる黒フレームを対応する各映像フレーム期間内に挿入しつつ、バックライト１７の輝度を中間レベルに制御することにより、動画ボケを良好に改善しつつ表示映像においてフリッカの発生を軽減することができる。
【００５４】
以下に、上述した構成の液晶テレビ１において、表示すべき映像信号に黒信号を挿入する処理について説明する。図３及び図４は実施形態１に係る液晶テレビ１における黒信号の挿入処理の手順を示すフローチャートである。なお、以下の処理は、制御部１０に内蔵されたＲＯＭに予め格納されている制御プログラムに従って制御部１０によって実行される。
【００５５】
液晶テレビ１の制御部１０は、外部から映像信号を取得した場合（Ｓ１）、映像信号処理回路１２によって各種の信号処理を実行し（Ｓ２）、各種の信号処理が施された映像信号をフレーム単位で動き検出回路１３及びＬＣＤコントローラ１５へ出力する。次に制御部１０は、動き検出回路１３によって、時系列的に前後する２つの映像フレーム間の差分量を算出し（Ｓ３）、算出した差分量が、自身のＲＯＭに予め記憶してある第１閾値よりも大きいか否かを判断する（Ｓ４）。
【００５６】
制御部１０は、動き検出回路１３によって、算出した差分量が第１閾値よりも大きいと判断した場合（Ｓ４：ＹＥＳ）、その旨を黒信号発生回路１４へ通知し、黒信号発生回路１４によって、黒信号レベルが高い黒信号からなる黒フレームを発生し（Ｓ５）、ＬＣＤコントローラ１５へ出力する。次に制御部１０は、ＬＣＤコントローラ１５によって、常にＨレベルのバックライト制御信号をバックライト制御回路１６へ出力すると共に（Ｓ６）、ステップＳ５で発生させた黒フレームを、映像信号処理回路１２から入力された映像フレームに対して挿入してパネル駆動回路１８へ出力する（Ｓ７）。
【００５７】
制御部１０は、ステップＳ３で算出した差分量が第１閾値よりも小さいと判断した場合（Ｓ４：ＮＯ）、差分量が、自身のＲＯＭに予め記憶してある第２閾値よりも大きいか否かを判断する（Ｓ８）。制御部１０は、差分量が第２閾値よりも大きいと判断した場合（Ｓ８：ＹＥＳ）、その旨を黒信号発生回路１４へ通知し、黒信号発生回路１４によって、黒信号レベルが中程度の黒信号からなる黒フレームを発生し（Ｓ９）、ＬＣＤコントローラ１５へ出力する。次に制御部１０は、ＬＣＤコントローラ１５によって、各映像フレーム期間の半分の期間がＨレベルのバックライト制御信号をバックライト制御回路１６へ出力すると共に（Ｓ１０）、ステップＳ９で発生させた黒フレームを、映像信号処理回路１２から入力された映像フレームに対して挿入してパネル駆動回路１８へ出力する（Ｓ１１）。
【００５８】
制御部１０は、ステップＳ３で算出した差分量が第２閾値よりも小さいと判断した場合（Ｓ８：ＮＯ）、その旨を黒信号発生回路１４へ通知し、黒信号発生回路１４に黒フレームを発生させず、ＬＣＤコントローラ１５によって、各映像フレーム期間の１／５の期間がＨレベルのバックライト制御信号をバックライト制御回路１６へ出力すると共に（Ｓ１２）、映像信号処理回路１２から入力された映像フレームをそのままパネル駆動回路１８へ出力する（Ｓ１３）。これにより、バックライト制御回路１６が、ＬＣＤコントローラ１５から入力されたバックライト制御信号に基づいてバックライト１７を点灯させ、パネル駆動回路１８が、ＬＣＤコントローラ１５から入力された映像フレームに基づく映像を液晶表示パネル１９に表示させる。
【００５９】
制御部１０は、映像信号処理回路１２に入力された映像信号の全ての映像フレームの表示が終了したか否かを判断しており（Ｓ１４）、全ての映像フレームの表示が終了していないと判断した場合（Ｓ１４：ＮＯ）、ステップＳ３へ処理を戻し、全ての映像フレームの表示が終了するまで、上述したステップＳ３からＳ１４の処理を繰り返す。また、制御部１０は、全ての映像フレームの表示が終了したと判断した場合（Ｓ１４：ＹＥＳ）、上述した処理を終了する。
【００６０】
上述した実施形態１では、時系列的に前後する２つの映像フレーム間における差分量として、各映像フレームにおける全画素の差分値の合計値を用いたが、これに限る必要はなく、例えば、各映像フレームにおける所定の領域内の各画素の差分値の合計を用いることもできる。具体的には、１９２０×１０８０画素を有する各映像フレームにおいて、例えば、所定の１００×１００画素のブロック内の各画素の差分値の合計値が１０未満である場合にほぼ静止画であると判断し、合計値が５０未満である場合に通常の動画であると判断し、合計値が５０以上である場合には動きの速い動画であると判断するようにしてもよい。
【００６１】
また、上述した実施形態１では、時系列的に前後する２つの映像フレーム間の差分量を第１閾値及び第２閾値の２つの閾値と比較し、表示すべき映像信号に基づく映像が動きの速い動画であるか、通常の動画であるか、又はほぼ静止画であるかに区分し、それぞれの映像信号に応じた黒信号レベルの黒信号からなる黒フレームを各映像フレーム期間内に挿入する構成について説明した。しかし、例えば、映像フレーム間の差分量を１つの閾値と比較し、表示すべき映像信号に基づく映像が動画であるか、又はほぼ静止画であるかに区分し、それぞれの映像信号に応じた黒フレームを各映像フレーム期間内に挿入する構成としてもよい。
【００６２】
（実施形態２）
以下に、実施形態２に係る液晶テレビについて説明する。なお、本実施形態２の液晶テレビの内部構成については、上述した実施形態１の液晶テレビ１と同様であるので、構成についての説明は省略する。
【００６３】
図５は実施形態２の液晶テレビ１における映像信号を説明するための波形図である。本実施形態２の液晶テレビ１は、上述した実施形態１の液晶テレビ１と同様に、図５の入力同期信号がＨレベルからＬレベルに変化するタイミングで入力映像信号が映像信号処理回路１２へ入力される。また、映像信号処理回路１２は、実施形態１で説明したような各種の信号処理を行なった後、図５の出力同期信号がＨレベルからＬレベルに変化するタイミングで出力映像信号を動き検出回路１３及びＬＣＤコントローラ１５へ出力する。
【００６４】
動き検出回路１３は、映像信号処理回路１２から順次入力される映像信号に対して、時系列的に前後する２つの映像フレーム間の差分量を算出し、算出した差分量を、例えば制御部１０のＲＯＭに予め記憶してある第１閾値及び第２閾値と比較し、対応する映像フレームに基づく映像が動きの速い動画であるか、通常の動画であるか、ほぼ静止画であるかを判断し、この判断結果を黒信号発生回路１４及びＬＣＤコントローラ１５へ通知する。
【００６５】
本実施形態２の液晶テレビ１では、黒信号発生回路１４が、動き検出回路１３から、対応する映像フレームに基づく映像が動きの速い動画であると通知された場合、又は対応する映像フレームに基づく映像が通常の動画であると通知された場合、所定の黒信号レベルの黒信号からなる黒フレームを発生させてＬＣＤコントローラ１５へ出力する。なお、黒信号発生回路１４は、動き検出回路１３から、対応する映像フレームに基づく映像がほぼ静止画であると通知された場合、黒フレームを発生させない。
【００６６】
ＬＣＤコントローラ１５は、制御部１０からの指示に従って、映像信号処理回路１２から出力された映像信号に対して、更に３倍のフレームレートへの変換処理を行なうと共に、黒信号発生回路１４から入力された黒フレームを、対応する各映像フレーム期間内に挿入する黒挿入手段として動作する。この際、ＬＣＤコントローラ１５は、動き検出回路１３から通知された判断結果に応じて、対応する各映像フレーム期間内に対して挿入する黒信号の挿入期間を特定する特定手段として動作する。
【００６７】
具体的には、ＬＣＤコントローラ１５は、動き検出回路１３から、対応する映像フレームに基づく映像が動きの速い動画であると通知された場合、映像信号処理回路１２から取得する映像フレームに対して、各映像フレーム期間の半分の期間に、黒信号発生回路１４から入力された黒フレームを挿入する。また、ＬＣＤコントローラ１５は、動き検出回路１３から、対応する映像フレームに基づく映像が通常の動画であると通知された場合、映像信号処理回路１２から取得する映像フレームに対して、各映像フレーム期間の１／３の期間に、黒信号発生回路１４から入力された黒フレームを挿入する。更に、ＬＣＤコントローラ１５は、動き検出回路１３から、対応する映像フレームに基づく映像がほぼ静止画であると通知された場合、映像信号処理回路１２から取得する映像フレームに対して黒フレームを挿入しない。
【００６８】
ＬＣＤコントローラ１５は、上述したように特定された挿入期間に基づいて、映像信号処理回路１２から取得する映像フレームに対して、黒信号発生回路１４から入力された黒フレームを挿入し、図５（ａ）〜（ｃ）で示すような出力信号をパネル駆動回路１８へ出力する。また、ＬＣＤコントローラ１５は、図５（ａ）〜（ｃ）で示すようなバックライト制御信号をバックライト制御回路１６へ出力する。
【００６９】
図５（ａ）は、動きの速い動画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。また、図５（ｂ）は、通常の動画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。図５（ｃ）は、ほぼ静止画の映像フレームを液晶表示パネル１９に表示させる場合に、ＬＣＤコントローラ１５がパネル駆動回路１８へ出力する出力信号と、ＬＣＤコントローラ１５がバックライト制御回路１６へ出力するバックライト制御信号とを示す。
【００７０】
図５（ａ）に示すように、動きの速い動画の映像フレームに対して、ＬＣＤコントローラ１５は、映像信号処理回路１２から出力された映像フレームＡの１回目の映像フレーム期間における初めの１／３の期間及び最後の１／３の期間に黒フレームを挿入し、２回目の映像フレーム期間における中央の１／３の期間に黒フレームを挿入し、パネル駆動回路１８へ出力する。また、ＬＣＤコントローラ１５は、動きの速い動画の映像フレームを液晶表示パネル１９に表示させる場合、常にＨレベルのバックライト制御信号をバックライト制御回路１６へ出力することにより、バックライト１７の輝度を常にＨレベルに制御する。
【００７１】
また、図５（ｂ）に示すように、通常の動画の映像フレームに対して、ＬＣＤコントローラ１５は、映像信号処理回路１２から出力された映像フレームＡの各映像フレーム期間における後半の１／３の期間に黒フレームを挿入してパネル駆動回路１８へ出力する。また、ＬＣＤコントローラ１５は、通常の動画の映像フレームを液晶表示パネル１９に表示させる場合、図５（ｂ）に示すバックライト制御信号をバックライト制御回路１６へ出力することにより、各映像フレーム期間の例えば半分の期間においてバックライト１７の輝度がＨレベルになるように制御する。
【００７２】
更に、図５（ｃ）に示すように、ほぼ静止画の映像フレームに対して、ＬＣＤコントローラ１５は、映像信号処理回路１２から出力された映像フレームに対して３倍のフレームレートへの変換処理を行なった後、黒フレームを挿入せずにパネル駆動回路１８へ出力する。また、ＬＣＤコントローラ１５は、ほぼ静止画の映像フレームを液晶表示パネル１９に表示させる場合、図５（ｃ）に示すバックライト制御信号をバックライト制御回路１６へ出力することにより、各映像フレーム期間の例えば１／５の期間においてバックライト１７の輝度がＨレベルになるように制御する。
【００７３】
上述したようにＬＣＤコントローラ１５から出力信号を取得したパネル駆動回路１８は、取得した出力信号に従って液晶表示パネル１９に映像を書き込み、ＬＣＤコントローラ１５からバックライト制御信号を取得したバックライト制御回路１６は、取得したバックライト制御信号に従ってバックライト１７を点灯及び消灯させる。
【００７４】
上述したように、映像信号に基づく映像が動きの速い動画である場合、各映像フレーム期間に対して長い挿入期間（例えば、映像フレーム期間の半分の期間）に黒フレームを挿入しつつ、バックライト１７の輝度を常にＨレベルに制御することにより、擬似的にインパルス型の表示制御を行なうことができ、動画ボケを良好に改善し、動画特性の優れた映像を表示させることができると共に、黒フレームの挿入に伴って生じる表示映像における輝度の変化に基づき視聴者に与え得る違和感を低減させることができる。また、映像信号に基づく映像がほぼ静止画である場合、黒フレームを映像フレームに挿入しないことにより、表示映像においてフリッカの発生を防止することができる。なお、映像信号に基づく映像が通常の動画である場合には、各映像フレーム期間に対して中程度の期間（例えば、映像フレーム期間の１／３の期間）に黒フレームを挿入しつつ、バックライト１７の輝度を中間レベルに制御することにより、動画ボケを良好に改善しつつ表示映像においてフリッカの発生を軽減することができる。
【００７５】
以下に、上述した構成の液晶テレビ１において、表示すべき映像信号に黒信号を挿入する処理について説明する。図６及び図７は実施形態２に係る液晶テレビ１における黒信号の挿入処理の手順を示すフローチャートである。なお、以下の処理は、制御部１０に内蔵されたＲＯＭに予め格納されている制御プログラムに従って制御部１０によって実行される。
【００７６】
液晶テレビ１の制御部１０は、外部から映像信号を取得した場合（Ｓ２１）、映像信号処理回路１２によって各種の信号処理を実行し（Ｓ２２）、各種の信号処理が施された映像信号をフレーム単位で動き検出回路１３及びＬＣＤコントローラ１５へ出力する。次に制御部１０は、動き検出回路１３によって、時系列的に前後する２つの映像フレーム間の差分量を算出し（Ｓ２３）、算出した差分量が、自身のＲＯＭに予め記憶してある第１閾値よりも大きいか否かを判断する（Ｓ２４）。
【００７７】
制御部１０は、動き検出回路１３によって、算出した差分量が第１閾値よりも大きいと判断した場合（Ｓ２４：ＹＥＳ）、その旨を黒信号発生回路１４及びＬＣＤコントローラ１５へ通知し、黒信号発生回路１４によって、所定の黒信号レベルの黒信号からなる黒フレームを発生し（Ｓ２５）、ＬＣＤコントローラ１５へ出力する。次に制御部１０は、ＬＣＤコントローラ１５によって、常にＨレベルのバックライト制御信号をバックライト制御回路１６へ出力すると共に（Ｓ２６）、ステップＳ２５で発生させた黒フレームを、映像信号処理回路１２から入力された映像フレームに対して、各映像フレーム期間の半分の期間に挿入してパネル駆動回路１８へ出力する（Ｓ２７）。
【００７８】
制御部１０は、ステップＳ２３で算出した差分量が第１閾値よりも小さいと判断した場合（Ｓ２４：ＮＯ）、差分量が、自身のＲＯＭに予め記憶してある第２閾値よりも大きいか否かを判断する（Ｓ２８）。制御部１０は、差分量が第２閾値よりも大きいと判断した場合（Ｓ２８：ＹＥＳ）、その旨を黒信号発生回路１４及びＬＣＤコントローラ１５へ通知し、黒信号発生回路１４によって、所定の黒信号レベルの黒信号からなる黒フレームを発生し（Ｓ２９）、ＬＣＤコントローラ１５へ出力する。次に制御部１０は、ＬＣＤコントローラ１５によって、各映像フレーム期間の半分の期間がＨレベルのバックライト制御信号をバックライト制御回路１６へ出力すると共に（Ｓ３０）、ステップＳ２９で発生させた黒フレームを、映像信号処理回路１２から入力された映像フレームに対して、各映像フレーム期間の１／３の期間に挿入してパネル駆動回路１８へ出力する（Ｓ３１）。
【００７９】
制御部１０は、ステップＳ２３で算出した差分量が第２閾値よりも小さいと判断した場合（Ｓ２８：ＮＯ）、その旨を黒信号発生回路１４及びＬＣＤコントローラ１５へ通知し、黒信号発生回路１４に黒フレームを発生させず、ＬＣＤコントローラ１５によって、各映像フレーム期間の１／５の期間がＨレベルのバックライト制御信号をバックライト制御回路１６へ出力すると共に（Ｓ３２）、映像信号処理回路１２から入力された映像フレームをそのままパネル駆動回路１８へ出力する（Ｓ３３）。これにより、バックライト制御回路１６が、ＬＣＤコントローラ１５から入力されたバックライト制御信号に基づいてバックライト１７を点灯させ、パネル駆動回路１８が、ＬＣＤコントローラ１５から入力された映像フレームに基づく映像を液晶表示パネル１９に表示させる。
【００８０】
制御部１０は、映像信号処理回路１２に入力された映像信号の全ての映像フレームの表示が終了したか否かを判断しており（Ｓ３４）、全ての映像フレームの表示が終了していないと判断した場合（Ｓ３４：ＮＯ）、ステップＳ２３へ処理を戻し、全ての映像フレームの表示が終了するまで、上述したステップＳ２３からＳ３４の処理を繰り返す。また、制御部１０は、全ての映像フレームの表示が終了したと判断した場合（Ｓ３４：ＹＥＳ）、上述した処理を終了する。
【００８１】
上述した実施形態２では、映像信号に基づく映像が動きの速い動画であるか、通常の動画であるか、ほぼ静止画であるかに応じて、対応する映像フレーム期間内に対して挿入すべき黒信号の挿入期間を変更する構成の液晶テレビ１について説明した。しかし、各映像フレーム期間に対して挿入される黒フレームの挿入期間は一定とし、挿入される黒フレームに含まれる黒画素の画素数を変更するように液晶テレビ１を構成してもよい。
【００８２】
具体的には、映像信号に基づく映像が動きの速い動画である場合、黒画素（例えば、画素値が２５５）の画素数が多い（例えば、黒フレームに含まれる画素の内の５０％）黒フレームを各映像フレーム期間内に挿入し、映像信号に基づく映像が通常の動画である場合、黒画素の画素数が中程度（例えば、黒フレームに含まれる画素の内の３３％）の黒フレームを各映像フレーム期間内に挿入し、映像信号に基づく映像がほぼ静止画である場合、黒フレームを挿入しないように構成してもよい。また、上述した実施形態２における液晶テレビ１においても、上述した実施形態１で説明した変形例と同様の変形例の適用が可能である。
【００８３】
上述した実施形態１，２では、時系列的に前後する２つの映像フレーム間の差分量に基づいて、各映像フレーム期間内に挿入すべき黒信号の黒信号レベル又は黒フレームの挿入期間を変化させつつ、バックライト１７の輝度も変化させる構成の液晶テレビ１について説明した。しかし、バックライト１７の輝度の制御は行なわずに、各映像フレーム期間内に挿入すべき黒信号の黒信号レベル又は黒フレームの挿入期間のみを変化させる構成としてもよく、この場合、液晶テレビ１のように液晶表示パネル１９に映像を表示させる装置に限られず、例えばプロジェクタにも本発明を適用することができる。なお、バックライト１７の輝度制御を行なわない場合、黒フレームの挿入に伴って生じる可能性のある表示画面における輝度変化を軽減することはできないが、擬似的なインパルス型の表示制御を行なうことによって、動画ボケを良好に改善し、動画特性の優れた映像を表示させることはできる。
【図面の簡単な説明】
【００８４】
【図１】実施形態１の液晶テレビの要部構成例を示すブロック図である。
【図２】実施形態１の液晶テレビにおける映像信号の波形図である。
【図３】実施形態１に係る液晶テレビにおける黒信号の挿入処理の手順を示すフローチャートである。
【図４】実施形態１に係る液晶テレビにおける黒信号の挿入処理の手順を示すフローチャートである。
【図５】実施形態２の液晶テレビにおける映像信号の波形図である。
【図６】実施形態２に係る液晶テレビにおける黒信号の挿入処理の手順を示すフローチャートである。
【図７】実施形態２に係る液晶テレビにおける黒信号の挿入処理の手順を示すフローチャートである。
【符号の説明】
【００８５】
１  液晶テレビ（映像表示装置）
１０  制御部
１３  動き検出回路（差分算出手段）
１４  黒信号発生回路（特定手段）
１５  ＬＣＤコントローラ（黒挿入手段）
１６  バックライト制御回路（駆動手段）
１７  バックライト
１９  液晶表示パネル（表示手段）
【図１】
2008096521.tif 000003
【図２】
2008096521.tif 000004
【図３】
2008096521.tif 000005
【図４】
2008096521.tif 000006
【図５】
2008096521.tif 000007
【図６】
2008096521.tif 000008
【図７】
2008096521.tif 000009